(57)【要約】【課題】簡素な構成にて情報の漏洩を防止することが実現できる荷札ラベルおよびその使用方法を提供する。【解決手段】組合せることにより目視可能に識別できる個人情報の一部７Ａ、および荷物識別用の識別コード８Ａを表面に印字すると共に、裏面の粘着剤を介して荷物５０に貼付する情報表示票２及び確認票４と、情報表示票２との間が切り離し自在な分割ライン５により連接されると共に、前記個人情報の残りの一部７Ｂを前記分割ラインをまたぎ前記個人情報の一部に連続して印字し、さらに、前記荷物識別用の識別コード８Ｂを印字し、前記荷物に貼付した情報表示票２及び確認票４より切り離して回収する回収票３と、を備えることを特徴とする。【選択図】      図１
2008026536.tif 000002
【特許請求の範囲】
【請求項１】
組合せることにより目視可能に識別できる個人情報の一部、および荷物識別用の識別コードを表面に印字すると共に、裏面の粘着剤を介して荷物に貼付する貼付部と、
前記貼付部との間が切り離し自在な分割ラインにより連接されると共に、前記個人情報の残りの一部を前記分割ラインをまたぎ前記個人情報の一部に連続して印字し、さらに、前記荷物識別用の識別コードを印字し、前記荷物に貼付した貼付部より切り離して回収する回収部と、を備えることを特徴とする荷札ラベル。
【請求項２】
前記粘着剤は、熱活性により粘着力を得ることを特徴とする請求項１に記載の荷札ラベル。
【請求項３】
組合せることにより目視可能に識別できる個人情報の一部、および荷物識別用の識別コードを表面に印字すると共に、裏面の粘着剤を介して荷物に貼付する貼付部と、
前記貼付部との間が切り離し自在な分割ラインにより連接されると共に、前記個人情報の残りの一部を前記分割ラインをまたぎ前記個人情報の一部に連続して印字し、さらに前記識別コードを印字した回収部と、を備え、
前記荷物への貼付部の貼付後、前記分割ラインより前記回収部を切り離して用いることを特徴とする荷札ラベルの使用方法。
【請求項４】
配達時、回収部の識別コードと貼付部の識別コードにより荷物の一致を図ることを特徴とする請求項３記載の荷札ラベルの使用方法。
【請求項５】
前記粘着剤は、熱活性により粘着力を得ることを特徴とする請求項３または請求項４に記載の荷札ラベルの使用方法。
【発明の詳細な説明】
【技術分野】
【０００１】
本発明は荷札ラベルに係り、特に、貼付部と回収部とを備える荷札ラベルおよびその使用方法に関する。
【背景技術】
【０００２】
荷物を送付する場合、差出人や受取人の住所、氏名、電話番号などの個人情報が印字された荷札ラベルを荷物や包装紙に貼付する。
そして、荷物や包装紙が不要になった際、個人情報が印字された前記貼付ラベルを貼付したまま廃棄することもあり、これら廃棄物を第三者が悪意に持ち帰るなどして、個人情報が盗まれることがある。
【０００３】
このような問題点を改良すべく、個人情報が表示されたラベルを荷物自体や包装紙から剥離した後、簡単に手で破いて裁断することができるようにすることで、ラベル表面に表示された住所や氏名等の個人情報の漏洩の防止を図ったラベルが提供されている（たとえば、特許文献１参照）。
この発明では、基材に個人情報の表示領域を複数の区域に分割するミシン目又はアンカット部を有するスリットが形成されているラベルが開示されている。
【０００４】
【特許文献１】特開２００１−１７５１７５号公報
【発明の開示】
【発明が解決しようとする課題】
【０００５】
しかしながら、特許文献１のラベルでは、配送業者を用いて商品を配送する過程で、ラベルに印字されている個人情報が漏洩するという欠点があった。
【０００６】
本発明はこのような事情に鑑みてなされたもので、トラックへの積荷の際、簡素な構成にて個人情報の漏洩を防ぐことが実現可能な荷札ラベルを提供することを目的とする。
【課題を解決するための手段】
【０００７】
請求項１に係る発明は、組合せることにより目視可能に識別できる個人情報の一部、および荷物識別用の識別コードを表面に印字すると共に、裏面の粘着剤を介して荷物に貼付する貼付部と、前記貼付部との間が切り離し自在な分割ラインにより連接されると共に、前記個人情報の残りの一部を前記分割ラインをまたぎ前記個人情報の一部に連続して印字し、さらに、前記荷物識別用の識別コードを印字し、前記荷物に貼付した貼付部より切り離して回収する回収部と、を備えることを特徴とする荷札ラベルを提供する。
【０００８】
請求項１に係る発明によれば、貼付部と回収部にかけて一連に印字している個人情報の一部を、分割ラインにて分離しており、荷物に貼付した貼付部より回収部を切り離して回収できるため、個人情報を分離することが可能な構成となっており、トラックへの積荷の際、簡素な構成にて個人情報の漏洩を防ぐ荷札ラベルを提供することが実現される。
【０００９】
請求項２に係る発明は、前記粘着剤は、熱活性により粘着力を得ることを特徴とする請求項１に記載の荷札ラベルを提供する。
【００１０】
請求項２に係る発明によれば、熱活性により粘着性を持たせることができる基材にて作成されているため、回収部に粘着性を持たせず、貼付部のみに粘着性を持たせて、荷物に貼付することが簡単に実現できる。また、剥離紙を使用せずに済むので、省資源化に繋がる。
【００１１】
請求項３に係る発明は、組合せることにより目視可能に識別できる個人情報の一部、および荷物識別用の識別コードを表面に印字すると共に、裏面の粘着剤を介して荷物に貼付する貼付部と、前記貼付部との間が切り離し自在な分割ラインにより連接されると共に、前記個人情報の残りの一部を前記分割ラインをまたぎ前記個人情報の一部に連続して印字しさらに前記識別コードを印字した回収部と、を備え、前記荷物への貼付部の貼付後、前記分割ラインより前記回収部を切り離して用いることを特徴とする荷札ラベルの使用方法を提供する。
【００１２】
請求項３に係る発明によれば、貼付部と回収部にかけて一連に印字している個人情報の一部を、分割ラインにて分離しており、荷物に貼付した貼付部より回収部を切り離して回収するため、個人情報を分離することが可能な構成となっており、トラックへの積荷の際、簡素な構成にて個人情報の漏洩を防ぐことが実現される。
【００１３】
請求項４に係る発明は、配達時、回収部の識別コードと貼付部の識別コードにより荷物の一致を図ることを特徴とする荷札ラベルの使用方法を提供する。
【００１４】
請求項４に係る発明によれば、配達時、回収部の識別コードと貼付部の識別コードにより荷物の一致を図ることを可能とするため、ドライバーが回収部から荷物を特定することができ、誤送を防ぐことが実現される。
【００１５】
請求項５に係る発明は、前記粘着剤は、熱活性により粘着力を得ることを特徴とする荷札ラベルの使用方法を提供する。
【００１６】
請求項５に係る発明によれば、熱活性により粘着性を持たせることができる基材にて作成されているため、回収部に粘着性を持たせず、貼付部のみに粘着性を持たせて、物品に貼付することが簡単に実現できる。また、剥離紙を使用せずに済むので、省資源化に繋がる。
【発明の効果】
【００１７】
本発明に係る荷札ラベルによれば、簡素な構成にて情報の漏洩を防止することが可能である。
【発明を実施するための最良の形態】
【００１８】
以下、添付図面に従って本発明に係る荷札ラベルを実施するための最良の形態について図１から図３を参酌して詳述する。
【００１９】
図１は本発明に係る荷札ラベルの一実施形態を示す平面図であり、図２は、図１の荷札ラベル１のＩＩ−ＩＩ線に沿う断面図である。主に、図１に示すように、本実施の形態の荷札ラベル１は、情報表示票２、回収票３、確認票４を備え、前記各票２、３、４は、図１における幅方向にわたって設けたミシン目５、６により独立した票として区画・形成されるとともに、図１における縦方向に連接されている。
【００２０】
情報表示票２には、商品名、メーカー、（商品の）型番、お買い上げ日、お買い上げ店舗、お届け日、お届け先、都道府県名、市または郡などの住所の前半分７Ａ等、「荷物５０」に関係する情報が印字される。
【００２１】
回収票３は、荷物５０をトラックに積荷する前にドライバーが回収する票であり、住所の町名、番地などの残り半分７Ｂ、電話番号、処理番号、識別コード８Ａ、受領印欄９が印字される。受領印欄９は、ドライバーがお届け先に届けた際に受領印を受ける欄である。
【００２２】
確認票４は、荷物５０がお届け先に到着した際に、荷物５０とお届け先が一致しているかどうかを確認する票であり、前記回収票３の識別コード８Ａと同じ処理番号、識別コード８Ｂが印字される。
【００２３】
次に、図２を参酌して説明する。
主に、図２に示されているように、情報表示票２、回収票３、および確認票４より成る基材１０のうち、前記情報表示票２及び確認票４は、基材１０の裏面が粘着剤１１を介して剥離紙１３に剥離自在に仮着されている。
【００２４】
また、回収票３の基材１０の裏面は、糊の粘着力を弱くする糊殺し印刷１２がされて粘着力が低下しており、剥離紙１３より剥離して重ねたとしてもべたつかないようになっている。
上記した基材１０の裏面に粘着剤１１が形成された情報表示票２、および確認票４は、「貼付部」であり、また、基材１０の裏面が糊殺し印刷１２とされた回収票３は、「回収部」である。
【００２５】
次に、荷札ラベルの使用方法について主に、図１ないし図３を参酌して説明する。
図１に示すように、情報表示票２、回収票３、および確認票４を荷物５０に貼付する。すなわち、剥離紙１３より基材１０を剥離して荷物５０に貼付するものであり、基材１０の裏面に粘着剤１１が形成される情報表示票２および確認票４により荷物５０に貼付される。
【００２６】
荷物５０に貼付された荷札ラベル１は、荷物５０をトラック等に積荷する際に、情報表示票２及び確認票４から回収票３を、ミシン目５、６に沿って切り離し、分離する。つまり、回収票３は荷物５０に当たる部分が糊殺し印刷１２されているため分離、回収可能であり、しかも、個人情報である住所が分割ラインであるミシン目５によって、住所７Ａと住所７Ｂに分離するため、トラック等に残された荷物５０に貼られたままの情報表示票２のみでは住所などの一連の個人情報が分断されて、一部の住所７Ａが表示されるだけとなるので、簡素な構成にて情報の漏洩を防止することが実現される。
【００２７】
図３は、荷札ラベル１から回収票３を分離した後の状態を示す平面図である。
分離された回収票３はドライバーが手元に回収・保持する。回収票３は、ミシン目５、ミシン目６に沿って切り離し持ち帰っても、裏面に糊殺し印刷１２が施されており、粘着力が低下しているので、重ねて持ち運ぶことが可能となる。
【００２８】
また、回収票３の識別コード８Ａと、荷物５０に貼付されて残っている確認票４の識別コード８Ｂは同一のものであり、回収した回収票３の識別コード８Ａと一致する識別コード８Ｂを発見することで、荷物５０を特定でき、さらには、トラック等から下ろした荷物５０の情報表示票２の住所７Ａと回収票３の住所７Ｂとにより、一連の住所が目視できるので、再確認することも可能となり、お届け先への荷物の誤送を防止できる。
【００２９】
さらに、分離した回収票３は、荷物５０の受領の証明に利用される部分であり、お届け時受領印欄９に捺印を頂き持ち帰るものである。
【００３０】
また、第二の実施の形態を図４を参酌して説明する。
なお、以下において、先の実施の形態と同様の部分は、同一符号を付すに止め、詳説は省略する。
図４は、荷札ラベルの第二の実施の形態を示す図２相当の断面図である。
【００３１】
詳細を説明すると、荷札ラベル７０の、情報表示票２、回収票３、および確認票４よりなる基材７１の裏面には加熱により粘着力が発生する熱活性化粘着剤層（いわゆるディレードタック層）７３が形成されている。つまり、剥離紙が必要となくなる構成となり、環境にもよい。
【００３２】
第一実施例と異なる点は、基材７１の裏面に、熱を加えることにより粘着力が発生する熱活性化粘着剤層７３を設けた点である。これにより、通常（常温）で保管しているときにはベタつかず、「荷札ラベル」として用いる場合には、情報表示票２及び確認票４には加熱して粘着性を付与し、一方、回収票３には熱を加えないことにより回収票３の裏面に粘着力を発生させなくできる。
【００３３】
熱活性化粘着剤層７３としては、アクリル系樹脂、塩化ビニル系樹脂、酢酸ビニル系樹脂、スチレン／アクリル共重合樹脂、スチレン／ブタジエン共重合樹脂、ポリスチレン樹脂、ポリアミド樹脂などの分散液に１種あるいは数種の固体可塑剤、たとえばジシクロヘマシルフタレート、ジフェニルフタレート、Ｎ−シクロヘキシル−Ｐ−トルエンスルホアミド、Ｏ／Ｐ−トルエンスルホンアミドなどが含まれる。この塗液を基材７１の裏面に塗布又は印刷し、可塑剤の融点以下で乾燥させることにより、通常では粘着性を示さず、加熱時に粘着性を示す熱活性化粘着剤層７３が基材７１の裏面に形成される。
【００３４】
この熱活性化粘着剤層７３が形成された基材７１は、一般のインパクトプリンタ等で問題なく通紙することが可能であるが、一旦可塑剤の融点以上に加熱すると、熱活性化粘着剤層７３が可塑化されて粘着性を帯びる。ここで発生した粘着性は、可塑剤が結晶化しても残存し、これにより、基材７１を荷物５０に貼付することができるようになる。
【００３５】
なお、基材に熱活性化粘着剤層７３を形成する方法としては、たとえばグラビアコータ、グラビアオフセットコータ、バーコータ、ロールコータ、エアナイフコータ、コンマコータ、ブレードコータ、カーテンコータなど種々の方法を用いることができる。
【００３６】
また、基材７１には、たとえば上質紙、中質紙、コート紙、合成紙、プラスチックフィルムなどを用いることができる。
【００３７】
次に、荷札ラベル７０の使用方法を説明する。
荷札ラベル７０は、上述したように、情報表示票２及び確認票４の熱活性化粘着剤層７３に粘着性を付与した上で、図１に示すように、荷物５０に貼付することができる。このとき、回収票３の熱活性化粘着剤層７３には熱を付与しておらず、粘着性を帯びていないので、つまんで荷物５０から剥がす方向に力を加えると、ミシン目５、６に沿って切り離せるものである。
また、トラックへの積荷の際、簡素な構成にて個人情報の漏洩を防ぐことが実現される。
【００３８】
なお、基材７１を加熱する方法については、特に限定されるものではないが、サーマルヘッドなどが採用される。
【００３９】
また、本実施の形態では、荷札ラベル７０を情報表示票２、回収票３、確認票４で構成しているが、荷札ラベル７０の構成は、これに限定されるものではなく、用途に応じて構成するものとする。
【００４０】
また、レイアウトも本実施の形態のレイアウトに限定されるものではなく、適宜変更して構成することができる。
【００４１】
なお、回収票３のように切り離されて回収される回収部は、本実施の形態で示したように、荷物５０に貼付されたままとなる貼付部（情報表示票２、確認票４）の間に配置することにより、配送中に剥がれ落ちたり、切れたりするのを効果的に防止することがきる。
【図面の簡単な説明】
【００４２】
【図１】本発明に係る荷札ラベルの一実施形態を示す平面図である。
【図２】同、図１中、矢示ＩＩ−ＩＩ線に沿う断面図である。
【図３】本発明に係る荷札ラベルから回収票を分離した後の状態を示す平面図である。
【図４】本発明の荷札ラベルの他の実施の形態を示す図２相当の断面図である。
【符号の説明】
【００４３】
１…荷札ラベル
２…情報表示票
３…回収票
４…確認票
５…ミシン目（分割ライン）
６…ミシン目
７Ａ…住所の半分
７Ｂ…住所の残り半分
８Ａ…識別コード
８Ｂ…識別コード
９…受領印欄
１０…基材
１１…粘着剤層
１２…糊殺し印刷
１３…剥離紙
５０…荷物
７０…荷札ラベル（第二実施例）
７１…基材
７３…熱活性化粘着剤層
【図１】
2008026536.tif 000003
【図２】
2008026536.tif 000004
【図３】
2008026536.tif 000005
【図４】
2008026536.tif 000006